(57)【特許請求の範囲】
【請求項１】
異なる記録モードにて複数の楽曲データが記録された記録媒体から、各楽曲データの曲順を規定する曲番情報を取得する曲番情報取得手段と、
前記曲番情報取得手段が取得した曲番情報に対応する各楽曲データの記録モードを取得する記録モード取得手段と、
前記記録モード取得手段により取得された記録モードに従って、前記曲番情報取得手段が取得した各楽曲データの曲番情報を、記録モード毎に分けて記憶する記憶手段と、
前記記憶手段に記憶された各楽曲データの曲番情報を、予め定められた記録モードの順番に従って、元の記録媒体に書き戻す曲番情報更新手段と、
を備えることを特徴とする記録再生装置。
【請求項２】
異なる記録モードにて複数の楽曲データが記録された記録媒体から、各楽曲データの曲順及び記録モードを管理するＴＯＣ（Table Of Contents）情報を取得するＴＯＣ情報取得手段と、
前記ＴＯＣ情報取得手段が取得したＴＯＣ情報に含まれる各楽曲データの記録モードを取得する記録モード取得手段と、
前記記録モード取得手段により取得された記録モードに従って、ＴＯＣ情報に含まれる各楽曲データの曲順を規定する曲番情報を、記録モード毎に分けて記憶する記憶手段と、
前記記憶手段に記憶された各楽曲データの曲番情報を、予め定められた記録モードの順番に従って、ＴＯＣ情報にセットするＴＯＣ情報更新手段と、
前記ＴＯＣ情報更新手段により更新されたＴＯＣ情報を、元の記録媒体に書き戻すＴＯＣ情報書き込み手段と、
を備えることを特徴とする記録再生装置。
【請求項３】
長時間記録モード及び通常記録モードにて複数の楽曲データが記録されたＭＤ（ミニディスク）から、各楽曲データの曲順及び記録モードを管理するＵＴＯＣ（User Table Of Contents）情報を取得するＵＴＯＣ情報取得手段と、
前記ＵＴＯＣ情報取得手段が取得したＵＴＯＣ情報に含まれる各楽曲データの記録モードを判別する記録モード判別手段と、
前記記録モード判別手段により判別された記録モードに従って、ＵＴＯＣ情報に含まれる各楽曲データの曲順を規定する曲番情報を、記録モード毎に分けて記憶する記憶手段と、
前記記憶手段に記憶された各楽曲データの曲番情報を、通常記録モード及び長時間記録モードの順番に従って、ＵＴＯＣ情報にセットするＵＴＯＣ情報更新手段と、
前記ＵＴＯＣ情報更新手段により更新されたＵＴＯＣ情報を、元のＭＤに書き戻すＵＴＯＣ情報書き込み手段と、
を備えることを特徴とする記録再生装置。
【請求項４】
異なる記録モードにて複数の楽曲データが記録された記録媒体から、各楽曲データの曲順及び記録モードを管理するＴＯＣ情報を取得するＴＯＣ情報取得ステップと、
前記ＴＯＣ情報取得ステップにて取得したＴＯＣ情報に含まれる各楽曲データの記録モードを取得する記録モード取得ステップと、
前記記録モード取得ステップにて取得された記録モードに従って、ＴＯＣ情報に含まれる各楽曲データの曲順を規定する曲番情報を、記録モード毎に分けて所定の記憶部に格納する曲番情報格納ステップと、
前記曲番情報格納ステップにて記憶部に格納された各楽曲データの曲番情報を、予め定められた記録モードの順番に従って、ＴＯＣ情報にセットするＴＯＣ情報更新ステップと、
前記ＴＯＣ情報更新ステップにて更新されたＴＯＣ情報を、元の記録媒体に書き戻すＴＯＣ情報書き込みステップと、
を備えることを特徴とする曲順編集方法。
【発明の詳細な説明】
【０００１】
【発明の属する技術分野】
この発明は、記録再生装置及び、曲順編集方法に関する。
【０００２】
【従来の技術】
音楽ＣＤ（コンパクトディスク）等の普及に伴い、ＣＤプレーヤに代表されるディスク再生装置が最もポピュラーな音楽再生機器の１つとして広まっている。このようなディスク再生装置は、ディスク（音楽ＣＤ等）に記録された複数の楽曲データをトラック番号によって管理する。そして、このトラック番号を使用して多彩な楽曲再生を行うことができる。
最近では、再生対象となる楽曲データをグループ化して管理することのできるディスク再生装置も知られている。このようなディスク再生装置は、例えば、ディスクに記録された楽曲データの属性（ディスク番号、トラック番号、タイトル、及び、アドレス等）に従って、各楽曲データをグループ管理するものであり、具体的には、利用者により登録された属性情報を内部のメモリに記憶することにより、グループ毎に各楽曲データの再生等を行う。
【０００３】
一方、ＭＤ（ミニディスク）レコーダに代表される記録再生装置も、ディスク再生装置と共に、広く使用されている。このような記録再生機器は、ＣＤプレーヤ等にて再生された楽曲データや、ＦＭチューナ等にて受信した楽曲データをディスク（ＭＤ等）に記録し、そして再生することができる。
最近では、ＡＴＲＡＣ３（Adaptive TRansform Acoustic Coding 3）等の高圧縮方式により数多くの楽曲データをディスクに記録する技術が実用化されて来ている。例えば、ＭＤＬＰ（長時間記録モード）が採用されたＭＤレコーダは、音楽ＣＤ５枚分もの楽曲データを１枚のＭＤに高圧縮して記録することができる。
【０００４】
【発明が解決しようとする課題】
従来の記録再生機器には、一般に、ディスク再生装置における上述したグループ管理に相当する機能が付加されていない。そのため、利用者は、所望の順番（再生させたい曲順）に各楽曲データをディスクに記録（録音）するか、又は、記録後に編集機能を使用して各楽曲データを所望の順番に並べ替える必要があった。
このような、録音操作や編集操作は、利用者にとって面倒な作業であり、特に、長時間記録モード（ＭＤＬＰ等）にて数多くの楽曲データをディスクに記録する際には、極めて煩雑なものとなっていた。
【０００５】
また、長時間記録モードに対応している記録再生装置は、利用者の好みに応じて楽曲データを長時間記録モードや通常の記録モード等にてディスクに記録できる。そのため、異なる記録モードの楽曲データが混在してディスクに記録される場合がある。
例えば、ＣＤプレーヤにて再生する楽曲データをＭＤレコーダにてＭＤに記録する際に、再生対象の音楽ＣＤに、歌声の入った観賞用の楽曲データ及び、歌声が省かれたカラオケ用の楽曲データが記録されていたとすると、利用者は、観賞用の楽曲データを通常の記録モードにて記録し、カラオケ用の楽曲データを長時間記録モードにて記録する場合がある。
【０００６】
このような混在ディスクを長時間記録モードに対応していない記録再生装置等（例えば、ポータブルタイプの再生装置）にて再生を試みると、長時間記録モードの楽曲データを再生する際に、無音再生がなされる。そのため、利用者は、再生装置等にて無音再生が開始されると、操作キー等を操作して、再生可能な楽曲データまで（楽曲音が発せられるまで）、曲送りを指示することとなる。
このような曲送り指示をすることなく再生可能な楽曲データだけをまとめて再生させるためには、記録再生装置の編集機能を用いて、ディスク内の楽曲データの曲順を適宜並び替える必要がある。すなわち、利用者は、通常の記録モードにて記録された各楽曲データを特定し、長時間記録モードの楽曲データよりも先に、これら特定した楽曲データが連続して並ぶように、ディスク内の楽曲データの曲順を並び替えなければならない。
【０００７】
しかしながら、上述したように、このような編集操作は、利用者にとって面倒な作業であるため、ディスク内の楽曲データが適宜並び替えることのできる記録再生装置が望まれていた。
【０００８】
この発明は、上記実状に鑑みてなされたもので、ディスク内の曲順を適切に並び替えることのできる記録再生装置及び、曲順編集方法を提供することを目的とする。
【０００９】
【課題を解決するための手段】
上記目的を達成するため、本発明の第１の観点に係る記録再生装置は、
異なる記録モードにて複数の楽曲データが記録された記録媒体から、各楽曲データの曲順を規定する曲番情報を取得する曲番情報取得手段と、
前記曲番情報取得手段が取得した曲番情報に対応する各楽曲データの記録モードを取得する記録モード取得手段と、
前記記録モード取得手段により取得された記録モードに従って、前記曲番情報取得手段が取得した各楽曲データの曲番情報を、記録モード毎に分けて記憶する記憶手段と、
前記記憶手段に記憶された各楽曲データの曲番情報を、予め定められた記録モードの順番に従って、元の記録媒体に書き戻す曲番情報更新手段と、
を備えることを特徴とする。
【００１０】
上記目的を達成するため、本発明の第２の観点に係る記録再生装置は、
異なる記録モードにて複数の楽曲データが記録された記録媒体から、各楽曲データの曲順及び記録モードを管理するＴＯＣ情報を取得するＴＯＣ情報取得手段と、
前記ＴＯＣ情報取得手段が取得したＴＯＣ情報に含まれる各楽曲データの記録モードを取得する記録モード取得手段と、
前記記録モード取得手段により取得された記録モードに従って、ＴＯＣ情報に含まれる各楽曲データの曲順を規定する曲番情報を、記録モード毎に分けて記憶する記憶手段と、
前記記憶手段に記憶された各楽曲データの曲番情報を、予め定められた記録モードの順番に従って、ＴＯＣ情報にセットするＴＯＣ情報更新手段と、
前記ＴＯＣ情報更新手段により更新されたＴＯＣ情報を、元の記録媒体に書き戻すＴＯＣ情報書き込み手段と、
を備えることを特徴とする。
【００１１】
上記目的を達成するため、本発明の第３の観点に係る記録再生装置は、
長時間記録モード及び通常記録モードにて複数の楽曲データが記録されたＭＤから、各楽曲データの曲順及び記録モードを管理するＵＴＯＣ情報を取得するＵＴＯＣ情報取得手段と、
前記ＵＴＯＣ情報取得手段が取得したＵＴＯＣ情報に含まれる各楽曲データの記録モードを判別する記録モード判別手段と、
前記記録モード判別手段により判別された記録モードに従って、ＵＴＯＣ情報に含まれる各楽曲データの曲順を規定する曲番情報を、記録モード毎に分けて記憶する記憶手段と、
前記記憶手段に記憶された各楽曲データの曲番情報を、通常記録モード及び長時間記録モードの順番に従って、ＵＴＯＣ情報にセットするＵＴＯＣ情報更新手段と、
前記ＵＴＯＣ情報更新手段により更新されたＵＴＯＣ情報を、元のＭＤに書き戻すＵＴＯＣ情報書き込み手段と、
を備えることを特徴とする。
【００１２】
上記目的を達成するため、本発明の第４の観点に係る曲順編集方法は、
異なる記録モードにて複数の楽曲データが記録された記録媒体から、各楽曲データの曲順及び記録モードを管理するＴＯＣ情報を取得するＴＯＣ情報取得ステップと、
前記ＴＯＣ情報取得ステップにて取得したＴＯＣ情報に含まれる各楽曲データの記録モードを取得する記録モード取得ステップと、
前記記録モード取得ステップにて取得された記録モードに従って、ＴＯＣ情報に含まれる各楽曲データの曲順を規定する曲番情報を、記録モード毎に分けて所定の記憶部に格納する曲番情報格納ステップと、
前記曲番情報格納ステップにて記憶部に格納された各楽曲データの曲番情報を、予め定められた記録モードの順番に従って、ＴＯＣ情報にセットするＴＯＣ情報更新ステップと、
前記ＴＯＣ情報更新ステップにて更新されたＴＯＣ情報を、元の記録媒体に書き戻すＴＯＣ情報書き込みステップと、
を備えることを特徴とする。
【００１３】
【発明の実施の形態】
本発明の実施の形態にかかる記録再生装置について、以下図面を参照して説明する。
【００１４】
図１は、この発明の実施の形態に適用される記録再生装置の一例を示す模式図である。図示するように、この記録再生装置１は、例えば、ＭＤ（ミニディスク）等のディスク２に楽曲データを録音すると共に、ディスク２に記録された楽曲データを再生するオーディオ機器であり、マイコン１１と、ＤＳＰ１２と、ディスク駆動ユニット１３と、操作キー１４と、ディスプレイ１５と、Ａ／Ｄ１６と、Ｄ／Ａ１７とを備えて構成される。
【００１５】
マイコン１１は、ＳＲＡＭ（スタティックラム）１１ａ等を備えた処理演算ユニットであり、記録再生装置１全体を制御する。
具体的にマイコン１１は、ＤＳＰ１２を制御することにより、ディスク駆動ユニット１３を駆動し、ディスク２に所定の楽曲データを記録する。
また、マイコン１１は、ディスク駆動ユニット１３等を介してディスク２に記録されたＵＴＯＣ（User Table Of Contents）情報をＳＲＡＭ１１ａに読み出し、このＵＴＯＣ情報内におけるＰ−ＴＮＯ（トラック番号）の内容を編集することにより、楽曲データの曲順を並び替える。そして、マイコン１１は、ディスク駆動ユニット１３等を介して編集後のＵＴＯＣ情報をディスク２に書き戻す。
【００１６】
ＳＲＡＭ１１ａには、ＵＴＯＣ情報を記憶するためのＵＴＯＣ情報記憶エリアが設けられており、図２に示すようなＵＴＯＣ情報を一時的に記憶する。このＵＴＯＣ情報は、ディスク２に記録された楽曲データを管理するための情報であり、エリアＥ１にディスク２上の楽曲データのアドレス等（「Track Mode」のアドレスも含む）を指し示すポインタ（「P-TNO1」〜「P-TNO255」）がセットされ、また、エリアＥ２に楽曲データの詳細なアドレス及び「Track Mode」の内容等がセットされている。
なお、「Track Mode」とは、楽曲データのコピーの可否や記録モード等を規定する情報であり、図３に示すように、各ビットの値にそれぞれの意味が規定されている。
例えば、ｄ５〜ｄ７に規定された値（Coding Mode）により、楽曲データの記録モードが、長時間記録モードのＬＰ４（ATRAC3 LP4 Stereo）、長時間記録モードのＬＰ２（ATRAC3 LP2 Stereo）、通常記録モードのモノラル（ATRAC Mono）、及び、通常記録モードのステレオ（ATRAC Stereo）の何れかであるかが判別できる。
【００１７】
また、ＳＲＡＭ１１ａには、後述する曲順編集処理にて、マイコン１１により楽曲データの曲順が記録モード毎に並び替えられる際に、各楽曲データのアドレス等（Ｐ−ＴＮＯｎの内容；曲番情報）が記録モード毎に一時的に記憶されるエリアが設けられている。
すなわち、ＳＲＡＭ１１ａには、通常記録モード（ステレオ）の楽曲データの曲番情報が記憶されるステレオ用記憶エリア、通常記録モード（モノラル）の楽曲データの曲番情報が記憶されるモノラル用記憶エリア、長時間記録モード（ＬＰ２）の楽曲データの曲番情報が記憶されるＬＰ２用記憶エリア、及び、長時間記録モード（ＬＰ４）の楽曲データの曲番情報が記憶されるＬＰ４用記憶エリアが設けられている。
【００１８】
図１に戻って、ＤＳＰ（デジタルシグナルプロセッサ）１２は、例えば、内蔵するＤＲＡＭ（ダイナミックラム）に、外部から入力されたデジタル音声信号を一時的に記憶し、このデジタル音声信号を使用してＡＴＲＡＣエンコード処理を行う。ＤＳＰ１２は、ディスク駆動ユニット１３を制御して、エンコード処理により生成した楽曲データをディスク２に記録する。
また、ＤＳＰ１２は、ディスク駆動ユニット１３を制御して、ディスク２に記録された楽曲データやＵＴＯＣ情報を読み出す。具体的に、ＤＳＰ１２は、ＡＴＲＡＣデコード処理によりディスク２からデジタル音声信号を再生する。そして、再生したデジタル音声信号をＤ／Ａ１７等に供給する。
【００１９】
ディスク駆動ユニット１３は、例えば、ＭＤスロットインメカ、ピックアップメカ、記録ヘッド、及びＲＦアンプ等を備える。ディスク駆動ユニット１３は、ＤＳＰ１２に制御され、ディスク２を駆動させて、ディスク２に楽曲データを記録し、また、ディスク２から楽曲データを再生する。
【００２０】
操作キー１４は、複数のキースイッチ等からなり、ユーザの操作に従って所定の指示情報を入力してマイコン１１に供給する。例えば、操作キー１４は、曲順の並び替えを指示する「曲順編集キー」等を含んでおり、装置の前面等に配置されている。
【００２１】
ディスプレイ１５は、蛍光表示管等からなり、記録再生装置１の動作状況や再生トラックのトラック情報等を表示する。例えば、記録再生装置１にて楽曲データの曲順編集が行われている際に、ディスプレイ１５は、曲順の編集中であることを示すメッセージ等を表示する。
【００２２】
Ａ／Ｄ（アナログ・デジタルコンバータ）１６は、図示せぬ外部機器から供給されたアナログ音声信号をデジタル音声信号に変換し、変換したデジタル音声信号をＤＳＰ１２に供給する。
【００２３】
Ｄ／Ａ（デジタル・アナログコンバータ）１７は、ＤＳＰ１２から供給されたデジタル音声信号をアナログ音声信号に変換し、変換したアナログ音声信号を図示せぬ外部機器に出力する。
【００２４】
以下、この発明の実施の形態にかかる記録再生装置１の動作について、図４等を参照して説明する。図４は、マイコン１１が実行する曲順編集処理を説明するためのフローチャートである。
なお、記録再生装置１には、所定のディスク２（異なる記録モードの楽曲データが混在して記録されたＭＤ等）が装填されているものとする。そして、この曲順編集処理は、マイコン１１（ディスク駆動ユニット１３等）によりディスク２から読み出されたＵＴＯＣ情報がＳＲＡＭ１１ａに記憶された状態で、例えば、利用者により、操作キー１４の「曲順編集キー」が押下され、処理の実行が指示された後に開始される。
【００２５】
まず、マイコン１１は、変数ｎに初期値の「１」を代入する（ステップＳ１１）。なお、この変数ｎは、楽曲データのトラック番号（Ｐ−ＴＮＯ）の値を示す変数である。
【００２６】
マイコン１１は、ＳＲＡＭ１１ａからＰ−ＴＮＯｎの「Track Mode」を読み出す（ステップＳ１２）。すなわち、マイコン１１は、図２に示すエリアＥ１における変数ｎにて示されるＰ−ＴＮＯ（記録モード等のアドレス等を指し示すポインタ）に従って、エリアＥ２における対象の「Track Mode」を特定してその内容を読み出す。
具体的に、マイコン１１は、以下に示す数式１に従って、対象となる「Track Mode」のアドレスを求め、その内容を読み出す。
【００２７】
【数１】
ａｄｒ＝７６×４＋（Ｐ−ＴＮＯｎ）×８
ａｄｒ：「Track Mode」のアドレス
【００２８】
マイコン１１は、読み出した「Track Mode」における「Coding Mode」（記録モード）が「ATRAC Stereo」であるか否かを判別する（ステップＳ１３）。すなわち、マイコン１１は、Ｐ−ＴＮＯｎの楽曲データが、通常記録モードのステレオにて記録されたものであるか否かを判別する。
マイコン１１は、「ATRAC Stereo」であると判別すると、ＳＲＡＭ１１ａにおけるステレオ用記憶エリアにＰ−ＴＮＯｎの内容を記憶する（ステップＳ１４）。すなわち、ステレオ用記憶エリアに通常記録モード（ステレオ）にて記録された楽曲データの曲番情報を記憶する。
【００２９】
一方、「ATRAC Stereo」でないと判別した場合に、マイコン１１は、「Coding Mode」が「ATRAC Mono」であるか否かを判別する（ステップＳ１５）。すなわち、マイコン１１は、Ｐ−ＴＮＯｎの楽曲データが、通常記録モードのモノラルにて記録されたものであるか否かを判別する。
マイコン１１は、「ATRAC Mono」であると判別すると、ＳＲＡＭ１１ａにおけるモノラル用記憶エリアにＰ−ＴＮＯｎの内容を記憶する（ステップＳ１６）。すなわち、モノラル用記憶エリアに通常記録モード（モノラル）にて記録された楽曲データの曲番情報を記憶する。
【００３０】
また、ステップＳ１５にて「ATRAC Mono」でないと判別した場合に、マイコン１１は、「Coding Mode」が「ATRAC3 LP2 Stereo」であるか否かを判別する（ステップＳ１７）。すなわち、マイコン１１は、Ｐ−ＴＮＯｎの楽曲データが、長時間記録モードのＬＰ２にて記録されたものであるか否かを判別する。
マイコン１１は、「ATRAC3 LP2 Stereo」であると判別すると、ＳＲＡＭ１１ａにおけるＬＰ２用記憶エリアにＰ−ＴＮＯｎの内容を記憶する（ステップＳ１８）。すなわち、ＬＰ２用記憶エリアに長時間記録モード（ＬＰ２）にて記録された楽曲データの曲番情報を記憶する。
【００３１】
また、ステップＳ１７にて「ATRAC3 LP2 Stereo」でないと判別した場合に、マイコン１１は、「Coding Mode」が「ATRAC3 LP4 Stereo」であると判別し、ＳＲＡＭ１１ａにおけるＬＰ４用記憶エリアにＰ−ＴＮＯｎの内容を記憶する（ステップＳ１９）。すなわち、ＬＰ４用記憶エリアに長時間記録モード（ＬＰ４）にて記録された楽曲データの曲番情報を記憶する。
【００３２】
マイコン１１は、上記の何れかの記憶エリアにＰ−ＴＮＯｎの内容（曲番情報）を記憶すると、変数ｎに１を加算する（ステップＳ２０）。
【００３３】
マイコン１１は、加算後の変数ｎの値が「Last TNO」（最終のトラック番号）より大きいか否かを判別する（ステップＳ２１）。すなわち、マイコン１１は、ディスク２に記録された全楽曲データに対して、記録モード毎に曲番情報の記憶を終えたか否かを判別する。
マイコン１１は、変数ｎの値が「Last TNO」より大きくない（以下である）と判別すると、ステップＳ１２に処理を戻し、上述のステップＳ１２〜Ｓ２０の処理を繰り返し実行する。
【００３４】
一方、変数ｎの値が「Last TNO」より大きいと判別した場合に、マイコン１１は、通常記録モード（ステレオ），通常記録モード（モノラル），長時間記録モード（ＬＰ２），長時間記録モード（ＬＰ４）の順に楽曲データを並び替えて、ＵＴＯＣ情報を更新する（ステップＳ２２）。
すなわち、マイコン１１は、図２に示すＵＴＯＣ情報のエリアＥ２に、まず、ステレオ用記憶エリアに記憶した各Ｐ−ＴＮＯｎの内容（各曲番情報）を先頭からセットし、次に、モノラル用記憶エリアの各曲番情報を続けてセットし、そして、ＬＰ２用記憶エリアの各曲番情報を続けてセットし、最後に、ＬＰ４用記憶エリアの各曲番情報を続けてセットする。
【００３５】
なお、何れかの記憶エリアにおいて、Ｐ−ＴＮＯｎの内容（曲番情報）が記憶されなかった（該当する記録モードの楽曲データがなかった）場合には、当然、次の記憶エリアに記憶している曲番情報が続けてセットされる。
そして、マイコン１１は、ディスク駆動ユニット１３等を介して編集後のＵＴＯＣ情報をディスク２に書き戻す。
【００３６】
このように、ディスク２に異なる記録モードの楽曲データが混在して記録されている場合でも、曲順編集処理により、所定の記録モード毎に楽曲データを並び替えることができる。そして、曲順編集後のディスク２を、例えば、長時間記録モードに対応していないポータブルタイプの再生装置に装填した場合、再生可能な通常モード（ステレオ等）の楽曲データが先に並んでいるため、再生可能な楽曲データだけをまとめて再生させることができる。
【００３７】
次に、上述の曲順編集処理により、楽曲データが記録モード毎に並び替えられる様子を図５を参照して、具体的に説明する。
なお、ディスク２には、図５（ａ）に示すように、異なる記録モードの楽曲データが混在して記録されているものとする。すなわち、トラック番号の先頭から、楽曲データ「ＡＡＡＡ」（ＳＴ；通常記録モードのステレオ），楽曲データ「ＢＢＢＢ」（ＬＰ２；長時間記録モードのＬＰ２），楽曲データ「ＣＣＣＣ」（ＳＴ），楽曲データ「ＤＤＤＤ」（ＬＰ２），楽曲データ「ＥＥＥＥ」（ＳＴ），楽曲データ「ＦＦＦＦ」（ＬＰ４；長時間記録モードのＬＰ４），楽曲データ「ＧＧＧＧ」（ＬＰ２）がディスク２に記録されている。
【００３８】
マイコン１１は、ステップＳ１３，Ｓ１５，Ｓ１７にて各楽曲データの記録モードを判別し、対応する記憶エリアに楽曲データの情報（具体的には、Ｐ−ＴＮＯｎの内容；曲番情報）を記憶する。
すなわち、マイコン１１は、図５（ｂ）に示すステレオ用記憶エリアに楽曲データ「ＡＡＡＡ」，「ＣＣＣＣ」，「ＥＥＥＥ」の曲番情報を記憶し（ステップＳ１４）、また、図５（ｃ）に示すＬＰ２用記憶エリアに楽曲データ「ＢＢＢＢ」，「ＤＤＤＤ」，「ＧＧＧＧ」の曲番情報を記憶し（ステップＳ１８）、そして、図５（ｄ）に示すＬＰ４用記憶エリアに楽曲データ「ＦＦＦＦ」の曲番情報を記憶する（ステップＳ１９）。
【００３９】
そして、マイコン１１は、図５（ｅ）に示すように、トラック番号の先頭にステレオ用記憶エリアの楽曲データの曲番情報をセットし、続けて、ＬＰ２用記憶エリアの楽曲データの曲番情報をセットし、最後に、ＬＰ４用記憶エリアの楽曲データの曲番情報をセットする（ステップＳ２２）。
このように、ディスク内の曲順を適切に並び替えることができる。
【００４０】
上記の実施の形態では、通常記録モード（ステレオ），通常記録モード（モノラル），長時間記録モード（ＬＰ２），長時間記録モード（ＬＰ４）の順番に、楽曲データを並べ替えたが、これら記録モードの順番は、任意である。例えば、長時間記録モード（ＬＰ４），長時間記録モード（ＬＰ２），通常記録モード（ステレオ），通常記録モード（モノラル）の順番に、楽曲データを並べ替えてもよい。そして、長時間モード（ＬＰ４）にてカラオケ用の楽曲データだけが記録されているような場合に、カラオケ用の楽曲データだけをまとめて再生することができる。
【００４１】
上記の実施の形態では、ＭＤ等からなるディスク２に記録した楽曲データの曲順を編集する記録再生装置について説明したが、編集対象の媒体はＭＤ等に限られず、他にＣＤ−ＲＷ（CD ReWritable）、ＤＶＤ−ＲＡＭ（Digital Versatile Disk-Random Access Memory）等であってもよい。また、スマートメディア（商標）、メモリスティック（商標）、ＭＭＣ（Multi Media Card）等の媒体を編集可能な記録再生装置であってもよい。
【００４２】
【発明の効果】
以上説明したように、本発明によれば、ディスク内の曲順を適切に並び替えることができる。
【図面の簡単な説明】
【図１】本発明の実施の形態に係る記録再生装置の構成の一例を示すブロック図である。
【図２】ディスクから読み出され、ＳＲＡＭに記憶されるＵＴＯＣ情報の構造を示す模式図である。
【図３】ＵＴＯＣ内における「Track Mode」の構造を詳細に説明するための模式図である。
【図４】本発明の実施の形態に係る曲順編集処理を説明するためのフローチャートである。
【図５】（ａ）〜（ｅ）共に、記録モードに従って、各楽曲データの曲順が並び替えられる様子を説明するための模式図である。
【符号の説明】
１    記録再生装置
２    ディスク
１１  マイコン
１２  ＤＳＰ
１３  ディスク駆動ユニット
１４  操作キー
１５  ディスプレイ
１６  Ａ／Ｄ
１７  Ｄ／Ａ
【図１】
0003718445.tif 000002
【図２】
0003718445.tif 000003
【図３】
0003718445.tif 000004
【図４】
0003718445.tif 000005
【図５】
0003718445.tif 000006